(57)【特許請求の範囲】
【請求項１】
少なくとも１つの光源と、
前記光源の色温度を制御する色温度制御部と、
基準温度を記憶装置に記憶する基準温度記憶部とを備え、
前記色温度制御部は、
特定の時間帯に対する光源の色温度を予め記憶し、
前記特定の時間帯以外の場合、外気の温度を入力し、入力した前記外気の温度と前記基準温度記憶部により記憶された前記基準温度との温度差を処理装置により算出し、算出した前記温度差に基づいて前記光源の色温度を制御し、
特定の時間帯の場合、予め記憶した特定の時間帯に対する光源の色温度に制御することを特徴とする照明装置。
【請求項２】
前記照明装置は、さらに、
基準となる色温度を色温度基準値として記憶装置に記憶する色温度基準値記憶部と、
所定の温度と色温度補正値とを対応付けて色温度情報として記憶装置に記憶する色温度情報記憶部とを備え、
前記色温度制御部は、
前記温度差を用いて前記色温度情報記憶部により記憶された前記色温度情報を処理装置により検索して前記温度差と一致する温度に対応する色温度補正値を取得し、取得した色温度補正値を前記色温度基準値に加算した値を用いて前記光源の色温度を制御する
ことを特徴とする請求項１に記載の照明装置。
【請求項３】
前記色温度情報記憶部が記憶する前記色温度情報は、
複数の温度範囲それぞれに対応した複数の温度範囲別色温度情報であり、
前記色温度制御部は、
前記複数の温度範囲別色温度情報の中から、前記基準温度の属する温度範囲に対応する温度範囲別色温度情報を取得し、取得した温度範囲別色温度情報を用いて前記温度差と一致する温度に対応する色温度補正値を取得し、前記光源の色温度を制御することを特徴とする請求項２に記載の照明装置。
【請求項４】
前記色温度制御部は、さらに、
外気の湿度を入力し、入力した前記外気の湿度に基づいて前記光源の色温度を制御することを特徴とする請求項１〜３のいずれかに記載の照明装置。
【請求項５】
前記色温度制御部は、さらに、
日照量を入力し、入力した前記日照量に基づいて前記光源の色温度を制御することを特徴とする請求項１〜４のいずれかに記載の照明装置。
【発明の詳細な説明】
【技術分野】
【０００１】
本発明は、例えば、屋外の状況に応じて色温度を制御する照明装置に関する。
【背景技術】
【０００２】
赤外線画像センサーを用いて、照明環境の温度状態の解析、もしくは人の顔面における表面温度の解析を実行して、照明装置の色温度制御を行う技術がある（特許文献１参照）。
【０００３】
また、時間や季節に基づいて、照明空間の色温度を制御する技術がある（特許文献２、特許文献３参照）。
【０００４】
また、屋外の環境を検出する環境検出手段を用いて、外光（屋外の光）の空間領域と屋内の照明空間との色温度分布を同じにする技術がある（特許文献４参照）。
【０００５】
また、周囲温度を検出して色温度を制御する技術がある（特許文献５参照）。
【先行技術文献】
【特許文献】
【０００６】
【特許文献１】特開２００９−０２１１７２号公報
【特許文献２】特開２００９−２５９５９８号公報
【特許文献３】特開平０４−０４８５８６号公報
【特許文献４】特開平０５−１２１１７６号公報
【特許文献５】特開平０３−２２２２９１号公報
【発明の概要】
【発明が解決しようとする課題】
【０００７】
しかしながら、従来技術では、実際の気候や外気温に合わせて、寒いときは暖かく感じる色温度に制御し、暑いときは涼しく感じる色温度に制御し、照明空間の色合いを鮮やかに演出するときは演色性のある色温度に制御するといった色温度制御ができないという課題があった。
【０００８】
本発明は、簡単な構成で、実際の気候や外気温を考慮したきめ細やかな色温度制御を実現することを目的とする。
【課題を解決するための手段】
【０００９】
本発明に係る照明装置は、光源を備える照明装置にあって、
前記光源の色温度を処理装置により制御する色温度制御部と、
基準温度を記憶装置に記憶する基準温度記憶部とを備え、
前記色温度制御部は、
外気の温度を入力し、入力した前記外気の温度と前記基準温度記憶部により記憶された前記基準温度との温度差を処理装置により算出し、算出した前記温度差に基づいて前記光源の色温度を制御することを特徴とする。
【発明の効果】
【００１０】
本発明に係る照明装置は、光源を備える照明装置にあって、前記光源の色温度を処理装置により制御する色温度制御部と、基準温度を記憶装置に記憶する基準温度記憶部とを備え、前記色温度制御部は、外気の温度を入力し、入力した前記外気の温度と前記基準温度記憶部により記憶された前記基準温度との温度差を処理装置により算出し、算出した前記温度差に基づいて前記光源の色温度を制御するので、簡単な構成で、実際の気候や外気温を考慮したきめ細やかな色温度制御を実現することができるという効果を奏する。また、照明空間の色合いを一番演出しなければならないときには、それにあった照明をすることもできる。
【図面の簡単な説明】
【００１１】
【図１】実施の形態１に係る色温度制御システム１１００（照明装置１０００）の機能ブロックを示す機能ブロック図である。
【図２】実施の形態１に係る色温度制御システム１１００（照明装置１０００）の一日の色温度の変化を示す色温度特性図である。
【図３】（ａ）が春、夏、秋、冬の一日の外気温度の推移と一日のうちの最高気温を示したグラフであり、（ｂ）が春、夏、秋、冬の一日の外気温度の推移と１４時の時点の気温を示したグラフである。
【図４】実施の形態１に係る点灯出力制御回路１３０の動作を示すフローチャートである。
【図５】実施の形態１に係る色温度制御情報１８０（色温度制御関数テーブル）に含まれる色温度制御関数（１）１８１〜色温度制御関数（４）１８４を示すグラフである。
【図６】実施の形態１に係る実施の形態１に係る色温度制御情報１８０（色温度制御関数テーブル）に含まれる色温度制御関数（１）１８１〜色温度制御関数（４）１８４に設定される具体的な値及び実温度と補正後の色温度の値を示す図である。
【図７】外気温度（実温度）と色温度補正されたＬＥＤモジュール２００の色温度（実色温度）との関係を色温度制御関数別に示した外気温度における色温度特性図である。
【図８】各色温度制御関数における具体的な温度変化と色温度変化の一例を示すグラフである。
【図９】図８に示されたグラフの具体的な値を表にまとめた図である。
【図１０】実施の形態２に係る点灯出力制御回路の動作を示すフローチャートである。
【図１１】実施の形態３に係る色温度制御システム１１００（照明装置１０００）の機能ブロックを示す機能ブロック図である。
【図１２】実施の形態３における色温度制御関数を示すグラフであり、（ａ）色温度制御関数（外気温）１８５を示すグラフ、（ｂ）色温度制御関数（湿度）１８６を示すグラフ、（ｃ）色温度制御関数（日照量）１８７を示すグラフである。
【図１３】図１２の色温度制御関数を具体的に数値により表にまとめた図である。
【図１４】実施の形態３における点灯出力制御回路１３０の動作を示すフローチャートである。
【図１５】実施の形態３に係る点灯出力制御回路の動作の結果得られた一日の色温度変化と外気温・湿度・日照量の変化との例を示す図である。
【図１６】実施の形態３に係る点灯出力制御回路の動作の結果得られた一日の色温度変化と外気温・湿度・日照量の変化との例を示す図である。
【図１７】実施の形態３に係る点灯出力制御回路の動作の結果得られた一日の色温度変化と外気温・湿度・日照量の変化との例を示す図である。
【図１８】図１５〜図１７のグラフの具体的な数値を表にまとめた図である。
【発明を実施するための形態】
【００１２】
実施の形態１．
図１は、実施の形態１に係る色温度制御システム１１００（照明装置１０００）の機能ブロックを示す機能ブロック図である。図１を用いて、色温度制御システム１１００（照明装置１０００）の機能ブロックについて説明する。
【００１３】
色温度制御システム１１００は、照明装置１０００と、外気温度検知素子３００とを備える。外気温度検知素子３００は、屋外の外気温度を検知する素子である。また、照明装置１０００は、点灯用電源装置１００とＬＥＤモジュール２００を備える。
【００１４】
ＬＥＤモジュール２００は、ＬＥＤａ２１０とＬＥＤｂ２２０とを備える。ＬＥＤａ２１０は、ＬＥＤ色温度が低いＬＥＤ素子群であり、ＬＥＤｂ２２０は、ＬＥＤ色温度が高いＬＥＤ素子群である。すなわち、ＬＥＤａ２１０は暖かみのある光源色（暖色系の光源色）であり、ＬＥＤａ２１０は涼しさ（寒さ）のある光源色（寒色系の光源色）である。
【００１５】
照明装置１０００は、色温度の異なる２つのＬＥＤ（ＬＥＤａ２１０，ＬＥＤｂ２２０）を制御することにより、照明装置１０００全体として所望の色温度を実現する。
【００１６】
点灯用電源装置１００は、直流電源ａ１１０と、直流電源ｂ１２０と、点灯出力制御回路１３０とを備える。また、点灯出力制御回路１３０は、時計１４０と、記憶部１５０とを備える。
【００１７】
直流電源ａ１１０は、商用電源等から交流電流を入力し、ＬＥＤａ２１０に定電流を供給する。直流電源ｂ１２０は、商用電源等から交流電流を入力し、ＬＥＤｂ２２０に定電流を供給する。図１に示すように、ＬＥＤａ２１０に定電流を供給する直流電源ａ１１０とＬＥＤｂ２２０に定電流を供給する直流電源ｂ１２０とは、互いに独立した装置である。照明装置１０００では、直流電源ａ１１０と直流電源ｂ１２０とを制御して、ＬＥＤａ２１０とＬＥＤｂ２２０とに供給する電流を制御することにより、所望の色温度を実現する。つまり、ＬＥＤａ２１０とＬＥＤｂ２２０との色温度の強さのバランスを制御することにより、ＬＥＤａ２１０とＬＥＤｂ２２０とにより構成されるＬＥＤモジュール２００は様々な色温度を実現することができる。
【００１８】
直流電源ａ１１０は、点灯出力制御回路１３０より調光指令ａ１３１を入力し、調光指令ａ１３１にしたがった定電流を生成してＬＥＤａ２１０に出力する。直流電源ｂ１２０は、点灯出力制御回路１３０より調光指令ｂ１３２を入力し、調光指令ｂ１３２にしたがった定電流を生成してＬＥＤｂ２２０に出力する。
【００１９】
ＬＥＤａ２１０は、直流電源ａ１１０からの定電流により暖色系の色温度で発光し、ＬＥＤｂ２２０は、直流電源ｂ１２０から定電流により寒色系の色温度で発光する。そして、ＬＥＤａ２１０とＬＥＤｂ２２０の色温度が合わさってＬＥＤモジュール２００の色温度となる。
【００２０】
点灯出力制御回路１３０は、プログラムを実行する処理装置（中央演算処理装置（ＣＰＵ：Ｃｅｎｔｒａｌ・Ｐｒｏｃｅｓｓｉｎｇ・Ｕｎｉｔ）、中央処理装置、演算装置、マイクロプロセッサ、マイクロコンピュータ等ともいう）（図示なし）を備えている。点灯出力制御回路１３０は、ＬＥＤモジュール２００の色温度を処理装置により制御する色温度制御部である。
【００２１】
点灯出力制御回路１３０は、記憶装置（記憶機器、記憶素子、ＲＯＭ、ＲＡＭ等）である記憶部１５０を備える。記憶部１５０は、色温度制御情報記憶部１６０、基準温度記憶部１６１、色温度基準値記憶部１６２を備える。色温度制御情報記憶部１６０、基準温度記憶部１６１、色温度基準値記憶部１６２は、記憶装置に情報を記憶する機能ブロックであるが、以下、説明の便利のため「色温度制御情報記憶部１６０、基準温度記憶部１６１、色温度基準値記憶部１６２が情報を記憶する」と表現する場合がある。
【００２２】
基準温度記憶部１６１は、ＬＥＤモジュール２００の色温度を制御するために用いる基準温度１７１を記憶装置に記憶する。色温度基準値記憶部１６２は、ＬＥＤモジュール２００の色温度を制御するために用いる色温度の基準となる値を色温度基準値１７２として記憶装置に記憶する。色温度制御情報記憶部１６０は、現在の外気温と基準温度１７１との差分（温度差１９０とする）（所定の温度）と後述する色温度補正値１９１とを対応付けて色温度制御情報１８０（色温度制御関数テーブル）として記憶装置に記憶する。基準温度１７１、色温度基準値１７２、色温度制御情報１８０等を用いた色温度制御方法については後述する。
【００２３】
点灯出力制御回路１３０は、温度差１９０を用いて色温度制御情報記憶部１６０により記憶された色温度制御情報１８０を処理装置により検索して温度差１９０と一致する温度に対応する色温度補正値１９１を取得する。点灯出力制御回路１３０は、取得した色温度補正値１９１を色温度基準値１７２に加算した値（補正後色温度）をＬＥＤモジュール２００の色温度とする。
【００２４】
点灯出力制御回路１３０は、ＬＥＤモジュール２００の色温度が上述した補正後色温度となるように、調光指令ａ１３１及び調光指令ｂ１３２とを生成する。そして、点灯出力制御回路１３０は、調光指令ａ１３１と調光指令ｂ１３２とを、それぞれ直流電源ａ１１０と直流電源ｂ１２０とに出力する。
【００２５】
つまり、点灯出力制御回路１３０は、外気温度検知素子３００に接続され、外気温度検知素子３００により取得された外気の温度を用いて点灯出力制御処理を処理装置により実行する。点灯出力制御回路１３０は、外気温度検知素子３００を用いて外気の温度を入力し、入力した外気の温度と基準温度記憶部１６１により記憶された基準温度１７１との温度差１９０を処理装置により算出し、算出した温度差１９０に基づいてＬＥＤモジュール２００の色温度を決定する。そして、点灯出力制御回路１３０は、ＬＥＤモジュール２００が決定した色温度となるように調光指令ａ１３１及び調光指令ｂ１３２とを生成する。
【００２６】
点灯出力制御回路１３０は、直流電源ａ１１０と直流電源ｂ１２０とにそれぞれ調光指令ａ１３１と調光指令ｂ１３２とを出力する。調光指令ａ１３１はＬＥＤａ２１０に出力され、調光指令ｂ１３２はＬＥＤｂ２２０に出力される。
【００２７】
直流電源ａ１１０は、点灯出力制御回路１３０から調光指令ａ１３１を入力して、入力した調光指令ａ１１０に基づいてＬＥＤａ１２０への定電流を制御する。また、直流電源ｂ１２０は、点灯出力制御回路１３０から調光指令ｂ１３２を入力して、入力した調光指令ｂ１３２に基づいてＬＥＤｂ２２０への定電流を制御する。
【００２８】
ＬＥＤａ１１０とＬＥＤｂ２２０とは、それぞれ直流電源ａ１１０と直流電源ｂ１２０とにより生成された電流により点灯し、ＬＥＤモジュール２００として所望の色温度に制御される。
【００２９】
点灯出力制御回路１３０は、時間をカウントする時計１４０（以下、時刻カウンターともいう）を備える。時計１４０は、点灯出力制御回路１３０に内蔵されていなくてもよい。例えば、点灯出力制御回路１３０は、外部からの通信により時間に関する情報を得る構成でもよい。
【００３０】
点灯出力制御回路１３０は、外気温度検知素子３００が検知した情報と、時計１４０が計時する時刻とをモニターする。そして、点灯出力制御回路１３０は、モニターした情報に基づいて、ＬＥＤモジュール２００内の色温度の低いＬＥＤａ２１０と、色温度の高いＬＥＤｂ２２０の点灯出力をそれぞれ制御する。照明装置１０００は、例えば、３０分毎、１時間毎、１時間半毎、２時間毎、２時間半毎のいずれかのパターンで、外気温度検知素子３００が検知した情報と時計１４０が計時する時刻とをモニターし、色温度制御処理を実行するとしてもよい。
【００３１】
照明装置１０００では、ＬＥＤａ２１０とＬＥＤｂ２２０の点灯出力がそれぞれ制御されるので、ＬＥＤモジュール２００が発する光の光色（色温度）が可変する。また、照明装置１０００では、時計１４０により一日の中で現在の時刻が何時であるかを把握する。
【００３２】
本実施の形態では、光源として色温度の異なる２つのＬＥＤを用いているが、光源はＬＥＤに限られない。蛍光ランプ、白熱ランプ、ハロゲンランプ等の光源を用いてもよい。また、２つでなくても、３つの光源、４つの光源、それ以上の数の光源を備えていても本実施の形態は適用可能である。また、本実施の形態では、直流電源を２つ用いているが、１つの直流電源で２つ以上の光源を制御することができる場合には、１つの直流電源でもよい。
【００３３】
次に、色温度制御システム１１００の動作について説明する。図２は、実施の形態１に係る色温度制御システム１１００（照明装置１０００）の一日の色温度の変化を示す色温度特性図である。図３は、（ａ）が春、夏、秋、冬の一日の外気温度の推移と一日のうちの最高気温を示したグラフであり、（ｂ）が春、夏、秋、冬の一日の外気温度の推移と１４時の時点の気温を示したグラフである。
【００３４】
図２〜図３を用いて、本実施の形態の色温度制御システム１１００（照明装置１０００）における一日の色温度の変化について説明する。
【００３５】
例えば、本実施の形態における色温度制御システム１１００では、屋外が寒いときは、ＬＥＤモジュール２００が発する光の色温度を低くして視覚的な暖かさを演出し、屋外が暑いときは、ＬＥＤモジュール２００が発する光の色温度を高くして視覚的な涼しさを演出する。本実施の形態における色温度制御システム１１００では、上記のように制御することにより、利用者に不快感を与えずに、空調設備による過剰な温度調整を抑え、店舗などの建物全体における省エネ効果を向上させることができる。
【００３６】
しかしながら、色温度制御システム１１００により店舗等で商品を照らす場合には、店舗等の商品等を一番魅力的に演出できる色温度で照明制御することも必要である。したがって、常に屋外の気候によって、ＬＥＤモジュール２００が発する光の色温度を可変制御することが好ましいとは限らない。そこで、図２に示すように、本実施の形態における色温度制御システム１１００では、例えば、一番客入りの多いと推定される１０時から１５時の間（以下、特定時間帯５１０ともいう）は屋外の気温に関わらず、一番演色性が高い色温度（例えば、４５００Ｋ）で固定に出力するとしてもよい。
【００３７】
そこで、本実施の形態における色温度制御システム１１００では、例えば、図２に示すように、１０時から１５時以外の時間帯（０時から１０時まで、及び、１５時から２４時まで）は、屋外の気温に応じて、照明装置１０００の色温度を可変に制御する。図２に示すように、０時から１０時までの間は、前日測定した最高気温、もしくは前日測定した１４時の気温をもとに制御を行い、１５時から２４時までは、当日測定した最高気温、もしくは１４時の気温をもとに制御を行うとする。
【００３８】
ここで、１０時から１５時以外の時間帯（０時から１０時まで、及び、１５時から２４時まで）の色温度を制御するための基準となる温度を基準温度１７１とする。すなわち、本実施の形態における色温度制御システム１１００が、基準温度１７１として１４時の気温を記憶するというシステム設定にしている場合には、０時から１４時までは基準温度１７１には「前日測定した１４時の気温」が設定され、１４時から２４時までは基準温度１７１には「当日測定した１４時の気温」が設定される。
【００３９】
また、本実施の形態における色温度制御システム１１００が、基準温度１７１として一日の最高気温を記憶するというシステム設定にしている場合には、０時から１０時までは基準温度１７１には「前日測定した最高気温」が設定され、１５時から２４時までは基準温度１７１には「当日測定した最高気温」が設定される。そして、色温度制御システム１１００では、特定時間帯５１０に、特定時間帯５１０のうちで最高気温となった場合に基準温度１７１にその最高気温が当日の最高気温として記憶される処理を実行する。
【００４０】
本実施の形態では、色温度制御システム１１００が基準温度１７１として１４時の気温を記憶するというシステム設定にしているものとする。つまり、色温度制御システム１１００では、０時から特定時間帯の始まりまでの間は、前日の１４時の外気温を基準温度１７１として照明装置１０００の色温度を制御し、特定時間帯の間は、演色性の高い色温度基準値１７２の色温度に制御し、特定時間帯の終わりから２４時までの間は、当日の１４時の外気温を基準温度１７１として照明装置１０００の色温度を制御する。
【００４１】
色温度制御システム１１００では、特定時間帯５１０の時間設定を変更することにより、色温度の制御を変更することができる。例えば、特定時間帯を「１４時から１４時」（すなわち、特定時間帯５１０は０時間であることを意味する）と設定することにより、照明装置１０００を一定の色温度基準値１７２に制御する処理をすることなく、０時から１４時までは前日の１４時の外気温を基準温度１７１として照明装置１０００の色温度を制御し、１４時から２４時までは当日の１４時の外気温を基準温度１７１として照明装置１０００の色温度を制御することができる。
【００４２】
また、色温度制御システム１１００において、特定時間帯５１０は設定しないとしてもよい。
【００４３】
利用者の気温の感じ方は、同じ気温であっても季節（気候等）により感じ方は異なると考えられる。したがって、本実施の形態における色温度制御システム１１００では、例えば、図３（ａ）に示すように、１０時から１５時の間の屋外の最高気温を計測し、それにより季節（天候、気候）が春であるか、夏であるか、秋であるか、冬であるかを判別して、その季節に合った色温度の制御方法を実行する。あるいは、本実施の形態における色温度制御システム１１００では、例えば、図３（ｂ）に示すように、１４時の屋外の気温を測定して季節を判別し、その季節に合った色温度の制御方法を実行するとしてもよい。
【００４４】
次に、本実施の形態にかかる点灯出力制御回路１３０による色温度制御方法について説明する。図４は、実施の形態１に係る点灯出力制御回路１３０の動作を示すフローチャートである。
【００４５】
まず、照明装置１０００に交流電源が供給され、点灯を開始する。
【００４６】
Ｓ１１０において、点灯出力制御回路１３０は、時計１４０がカウントしている現在時刻５３０が特定時間帯５１０（例えば、１０時〜１５時の間）であるか否かを処理装置により判定する。
【００４７】
現在時刻５３０が特定時間帯５１０であると点灯出力制御回路１３０が判断すると（Ｓ１１０にてＹｅｓ）、点灯出力制御回路１３０は、ＬＥＤモジュール２００が発する光の色温度が特定の色温度（色温度基準値１７２）（例えば、４５００Ｋ）となるように、直流電源ａ１１０が出力する電流値Ａａと直流電源ｂ１２０が出力する電流値Ａｂとを処理装置により決定する。
【００４８】
点灯出力制御回路１３０は、例えば、ＬＥＤモジュール２００の色温度と、ＬＥＤモジュール２００が当該色温度を実現するための直流電源ａ１１０及び直流電源ｂ１２０の出力する電流値Ａａ，Ａｂとを対応付けた色温度対応電流値テーブルを記憶部１５０に記憶しているものとする。点灯出力制御回路１３０は、例えば、ＬＥＤモジュール２００を４５００Ｋの色温度にする場合には、４５００Ｋの色温度に対応する直流電源ａ１１０の電流値Ａａと直流電源ｂ１２０の電流値Ａｂとを記憶部１５０に記憶された色温度対応電流値テーブルから取得する。点灯出力制御回路１３０は、例えば、上記のような処理にて電流値Ａａと電流値Ａｂとを決定する。
【００４９】
点灯出力制御回路１３０は、直流電源ａ１１０に電流値Ａａを出力させるための調光指令ａ１３１と直流電源ｂ１２０に電流値Ａｂを出力させるための調光指令ｂ１３２とを生成する。点灯出力制御回路１３０は、生成した調光指令ａ１３１と調光指令ｂ１３２とをそれぞれ直流電源ａ１１０と直流電源ｂ１２０とに出力する。
【００５０】
Ｓ１１２において、点灯出力制御回路１３０は、時計１４０がカウントする現在時刻５３０が特定時間（例えば、１４時）となったとき、外気温度検知素子３００が検知する外気温度を基準温度１７１として基準温度記憶部１６１により記憶する。
【００５１】
点灯出力制御回路１３０が現在時刻５３０が特定時間帯５１０ではないと判断すると（Ｓ１１０にてＮｏ）、点灯出力制御回路１３０は、基準温度記憶部１６１により記憶されている基準温度１７１を読み出す。つまり、点灯出力制御回路１３０は、現在時刻５３０が１４時より前の場合、読み出した基準温度１７１は前日の１４時のときの外気温度であり、現在時刻５３０が１４時以降の場合は、読み出した基準温度１７１は当日の１４時のときの外気温度となる。上述したように、点灯出力制御回路１３０は、現在時刻５３０が特定時間帯５１０以外の場合は、読み出した基準温度１７１を用いてＬＥＤモジュール２００の色温度を制御する処理を実行する。
【００５２】
Ｓ１１４において、点灯出力制御回路１３０は、色温度制御情報記憶部１６０により記憶された色温度制御情報１８０（色温度制御関数テーブル）から、基準温度１７１に対応する色温度制御関数を選択する。
【００５３】
ここで、色温度制御情報１８０（色温度制御関数テーブル）の構成について説明する。図５は、実施の形態１に係る色温度制御情報１８０（色温度制御関数テーブル）に含まれる色温度制御関数（１）１８１〜色温度制御関数（４）１８４を示すグラフである。図６は、実施の形態１に係る色温度制御情報１８０（色温度制御関数テーブル）に含まれる色温度制御関数（１）１８１〜色温度制御関数（４）１８４に設定される具体的な値及び実温度と補正後の色温度の値を示す図である。図５及び図６を用いて、色温度制御情報１８０（色温度制御関数テーブル）の構成及び設定値について説明する。
【００５４】
色温度制御情報記憶部１６０により記憶された色温度制御情報１８０（色温度情報）は、複数の温度範囲それぞれに対応した複数（４つ）の色温度制御関数（色温度制御関数（１）１８１〜色温度制御関数（４）１８４）（温度範囲別色温度情報）である。点灯出力制御回路１３０（色温度制御部）は、複数（４つ）の色温度制御関数（色温度制御関数（１）１８１〜色温度制御関数（４）１８４）の中から、基準温度１７１の属する温度範囲に対応する色温度制御関数を選択する。点灯出力制御回路１３０は、選択した色温度制御関数を用いてＬＥＤモジュール２００の色温度を制御する。
【００５５】
図５及び図６に示すように、色温度制御情報１８０は、例えば、基準温度１７１（記録した外気温）が３０℃以上の温度範囲に対して色温度制御関数（１）１８１を対応付け、基準温度１７１が２０℃以上３０℃未満の温度範囲に対して色温度制御関数（２）１８２を対応付け、基準温度１７１が１０℃以上２０℃未満の温度範囲に対して色温度制御関数（３）１８３を対応付け、基準温度１７１が１０℃未満の温度範囲に対して色温度制御関数（４）１８４を対応付けた情報である。
【００５６】
図５に示すように、色温度制御情報１８０（色温度制御関数（１）１８１〜色温度制御関数（４）１８４）は、基準温度１７１と現在の外気温との温度差１９０に対して、色温度基準値１７２（４５００Ｋ）からの色温度差（すなわち、色温度補正値１９１）を対応付けた関数である。
【００５７】
色温度制御関数（１）１８１は、外気温度が３０℃以上のときの温度差１９０と色温度補正値１９１とを対応付けを示すグラフとなる。「外気温度が３０℃以上」とは、一般的には人が暑く感じる温度範囲である。そのため、色温度制御システム１１００は、照明装置１０００の照明で演出される建物内などを視覚的な涼しさを訴求するように、色温度基準値１７２の色温度に対して色温度を高く補正する正の色温度補正値１９１を持つ（ただし、温度差１９０（差分外気温度）が−６℃以上のとき）。
【００５８】
図６に示す実温度及び実色温度（点線で囲んだ情報）は、色温度制御関数（１）１８１を用いてＬＥＤモジュール２００の色温度を補正した場合の外気の実温度とＬＥＤモジュール２００の実色温度との対応を示している。この実温度及び実色温度の情報は、補正後の結果を簡単のために記載したものであり、色温度制御関数（１）１８１には含まれていない情報である。
【００５９】
色温度制御関数（２）１８２は、外気温度が２０℃以上３０℃未満のときの、温度差１９０と色温度補正値１９１との対応付けを示すグラフとなる。「外気温度が２０℃以上３０℃未満」は、一般的には人が快適に感じる温度範囲にある。したがって、温度差１９０の値が０近傍では色温度基準値１７２の色温度に対して色温度を変更しないような色温度補正値１９２を持つ（但し、温度差１９０（差分外気温度）が−２℃以上６℃以下のとき）。
【００６０】
図５に示す実温度及び実色温度（点線で囲んだ情報）は、色温度制御関数（２）１８２を用いてＬＥＤモジュール２００の色温度を制御した場合の外気の実温度とＬＥＤモジュール２００の実色温度との対応を示している。この実温度及び実色温度の情報は、補正後の結果を簡単のために記載したものであり、色温度制御関数（２）１８２には含まれていない情報である。
【００６１】
色温度制御関数（２）１８２は、色温度制御関数（１）１８１と比較すると、色温度制御関数（１）１８１よりやや色温度が低め（やや暖色系）となるように色温度補正値１９１が設定されている。
【００６２】
色温度制御関数（３）１８３は、外気温度が１０℃以上２０℃未満のときの、温度差１９０と色温度補正値１９１との対応付けを示すグラフとなる。「外気温度が１０℃以上２０℃未満」は、一般的に人が肌寒く感じる温度範囲にある。したがって、照明装置１０００の照明で演出される建物内などを視覚的な温かみを訴求するように、色温度基準値１７２の色温度に対して色温度を低くする負の色温度補正値１９１を持つ（但し、温度差１９０が１６℃以下のとき）。
【００６３】
図５に示す実温度及び実色温度（点線で囲んだ情報）は、色温度制御関数（３）１８３を用いてＬＥＤモジュール２００の色温度を制御した場合の外気の実温度とＬＥＤモジュール２００の実色温度との対応を示している。この実温度及び実色温度の情報は、補正後の結果を簡単のために記載したものであり、色温度制御関数（３）１８３には含まれていない情報である。
【００６４】
色温度制御関数（４）１８４は、外気温度が１０℃未満のときの、温度差１９０と色温度補正値１９１との対応付けを示すグラフとなる。「外気温度が１０℃未満」は、一般的に人が寒く感じる温度範囲にある。したがって、照明装置１０００の照明で演出される建物内などを視覚的な温かみをより訴求するように、色温度基準値１７２の色温度に対して色温度を色温度制御関数（３）１８３の場合よりも低くする負の色温度補正値を持つ。
【００６５】
図５に示す実温度及び実色温度（点線で囲んだ情報）は、色温度制御関数（４）１８４を用いてＬＥＤモジュール２００の色温度を制御した場合の外気の実温度とＬＥＤモジュール２００の実色温度との対応を示している。この実温度及び実色温度の情報は、補正後の結果を簡単のために記載したものであり、色温度制御関数（４）１８４には含まれていない情報である。
【００６６】
以上のように、本実施の形態では、同じ実温度であっても、暑い日（夏）には色温度を高くして涼しげに照明を演出し、寒い日（冬）には色温度を低くして照明を暖かく演出するような色温度制御情報１８０（色温度制御関数（１）１８１〜色温度制御関数（４）１８４）を設定している。
【００６７】
図４に戻り、点灯出力制御回路１３０の動作の説明を続ける。以下では、基準温度１７１が３０℃であり外気温（実温度）が３６℃の場合について具体的に説明する。
【００６８】
Ｓ１１４において、点灯出力制御回路１３０は、基準温度１７１（３０℃）に基づいて、色温度制御情報１８０から色温度制御関数（１）１８１を選択する。
【００６９】
Ｓ１１５において、点灯出力制御回路１３０は、現在の外気温５４０を外気温度検知素子３００から入力して記憶装置に記憶する。点灯出力制御回路１３０は、処理装置により、現在の外気温５４０と基準温度１７１との差分を計算し、計算結果を温度差１９０として記憶装置に記憶する。
【００７０】
具体的には、点灯出力制御回路１３０は、外気温度検知素子３００より現在の外気温３６℃を入力し、記憶部１５０から基準温度３０℃を読み出す。点灯出力制御回路１３０は、処理装置により、温度差＝３６℃−３０℃＝６℃を算出する。
【００７１】
Ｓ１１６において、点灯出力制御回路１３０は、処理装置により、Ｓ１１４にて選択した色温度制御関数に対し、Ｓ１１５において算出した温度差１９０を代入し、色温度補正値１９１を算出（取得）する。
【００７２】
具体的には、点灯出力制御回路１３０は、色温度制御関数（１）１８１を用いて温度差６℃に対応する色温度補正値１５００Ｋを取得する。
【００７３】
Ｓ１１７において、点灯出力制御回路１３０は、処理装置により、記憶装置に記憶されている色温度基準値１７２にＳ１１６にて取得した色温度補正値１９１を加算する。点灯出力制御回路１３０は、加算して得た補正後色温度をＬＥＤモジュール２００の色温度とする。
【００７４】
具体的には、点灯出力制御回路１３０は、色温度基準値４５００Ｋに、取得した色温度補正値１５００Ｋを加算して得た色温度６０００ＫをＬＥＤモジュール２００の色温度とする。
【００７５】
Ｓ１１８において、点灯出力制御回路１３０は、処理装置により、ＬＥＤモジュール２００がＳ１１７にて算出した補正後色温度となるように、調光指令ａ１３１と調光指令ｂ１３２とを生成する。
【００７６】
具体的には、点灯出力制御回路１３０は、ＬＥＤモジュール２００が発する光の色温度がＳ１１７にて算出した補正後色温度６０００Ｋとなるような電流値Ａａと電流値Ａｂとを処理装置により取得する。
【００７７】
点灯出力制御回路１３０は、ＬＥＤモジュール２００を６０００Ｋの色温度にする場合には、６０００Ｋの色温度に対応する直流電源ａ１１０の電流値Ａａと直流電源ｂ１２０の電流値Ａｂとを上述した色温度対応電流値テーブルから取得する。
【００７８】
点灯出力制御回路１３０は、直流電源ａ１１０に電流値Ａａを出力させるための調光指令ａ１３１と直流電源ｂ１２０に電流値Ａｂを出力させるための調光指令ｂ１３２とを生成する。点灯出力制御回路１３０は、生成した調光指令ａ１３１と調光指令ｂ１３２とをそれぞれ直流電源ａ１１０と直流電源ｂ１２０とに出力する。
【００７９】
以上で、照明装置１０００における点灯出力制御回路１３０の色温度制御方法についての説明を終わる。
【００８０】
図７は、外気温度（実温度）と色温度補正されたＬＥＤモジュール２００の色温度（実色温度）との関係を色温度制御関数別に示した外気温度における色温度特性図である。図８は、各色温度制御関数における具体的な温度変化と色温度変化の一例を示すグラフである。図９は、図８に示されたグラフの具体的な値を表にまとめたものである。
【００８１】
以上のように本実施の形態にかかる色温度制御システム１１００によれば、実際の気候、外気温に合わせて、色温度制御をするため、暑いときは涼しげに演出し、寒いときは暖かく感じるように演出できるため、過剰な空調を避けることができ、電気使用量を抑え省エネに貢献することができる。また、照明空間の色合いを一番演出しなければならないときには、それにあった照明をすることもできる。
【００８２】
以上のように本実施の形態にかかる色温度制御システム１１００によれば、照明装置１０００が温度差１９０（１４時時点での外気温度（基準温度１７１）と、現在の外気温５４０との差分）に基づいて、照明装置１０００（ＬＥＤモジュール２００）が発する色温度を調整する。これにより、図７〜図９に示すように、照明装置１０００は、特定時間帯５１０（例えば、１０時〜１５時）を除いて、季節（気候）に応じた色温度制御ができる。したがって、本実施の形態にかかる色温度制御システム１１００は、特定時間帯５１０（例えば、１０時〜１５時）以外は、季節（気候）かつ外気温に応じた色温度に照明装置１０００を制御することにより、人に不快を感じさせず、空調による過剰な温度制御を抑えることができ、省エネ効果を発揮できる。
【００８３】
本実施の形態にかかる色温度制御システム１１００では、例えば、特定時間帯５１０を０時間（例えば、１４時から１４時）とすることにより、一日中、季節（気候）かつ外気温に応じた色温度に照明装置１０００を制御することもできる。
【００８４】
また、本実施の形態にかかる色温度制御システム１１００では、特定時間帯５１０は色温度基準値１７２に照明を制御するものとし、特定時間帯５１０に測定した特定時間（例えば、１４時）の外気温度を基準温度１７１として基準温度記憶部１６１により記憶装置に記憶する。そして、特定時間帯５１０以外では、基準温度１７１（記憶部に記憶した外気温度）と現在の外気温５４０との温度差１９０により、色温度を調整しているので、「基準温度１７１が書き換えられることによって突然色温度が変わり利用者に違和感が生じる」という不具合を防止することができる。
【００８５】
実施の形態２．
実施の形態１では、色温度制御システム１１００（照明装置１０００）が１４時の外気温度を基準温度１７１として色温度制御する場合について説明した。本実施の形態では、色温度制御システム１１００（照明装置１０００）が、一日のうちで気温が最高になったときの外気温度を基準温度１７１として色温度制御する場合について説明する。
【００８６】
図１０は、実施の形態２に係る点灯出力制御回路の動作を示すフローチャートである。図１０において、図４と同様の動作には同一の符号を付し、その説明を省略する。図１０において、Ｓ１１０〜Ｓ１１１の処理及びＳ１１３〜Ｓ１１８の処理は図４と同様の処理である。
【００８７】
点灯出力制御回路１３０は、時計１４０がカウントする現在時刻５３０が特定時間帯５１０（例えば、１０時〜１５時）であるかを判別する（Ｓ１１０）。時計１４０がカウントする現在時刻５３０が特定時間帯５１０であるとき（Ｓ１１０でＹｅｓ）、点灯出力制御回路１３０は、直流電源ａ１１０及び直流電源ｂ１２０を制御して、ＬＥＤモジュール２００が発する光の色温度を色温度基準値１７２（例えば、４５００Ｋ）となるように調整する。
【００８８】
Ｓ２１２において、点灯出力制御回路１３０は、外気温度検知素子３００により外気温を測定する。
【００８９】
Ｓ２１３において、点灯出力制御回路１３０は、処理装置により、特定時間帯５１０になってから最初の外気温の測定であったか否かを判定する。点灯出力制御回路１３０は、最初の外気温の測定であると判定した場合は（Ｓ２１３においてＹｅｓ）、測定した外気温を基準温度１７１として記憶装置に記憶する。
【００９０】
点灯出力制御回路１３０は、最初の外気温の測定ではないと判定した場合は（Ｓ２１３においてＮｏ）、すなわち、特定時間帯５１０になってから２回目以降の外気温の測定であった場合は、点灯出力制御回路１３０は、測定した外気温が基準温度１７１より高いか否かを処理装置により判別する（Ｓ２１４）。基準温度１７１よりも測定した外気温が高い場合は（Ｓ２１４でＹｅｓ）、点灯出力制御回路１３０は、測定した外気温を基準温度１７１として記憶装置に記憶し、基準温度１７１を更新する（Ｓ２１５）。基準温度１７１よりも測定した外気温が高くない（低い）場合は（Ｓ２１４でＮｏ）、点灯出力制御回路１３０は、測定した外気温を記憶装置に記憶しない。
【００９１】
あるいは、点灯出力制御回路１３０は、Ｓ２１４において、測定した外気温が前回の測定時の外気温よりも高いか否かを処理装置により判別してもよい。点灯出力制御回路１３０は、測定した外気温が前回の測定時よりも高い場合は、基準温度１７１として記憶装置に記憶し、測定した外気温が前回の測定時よりも高くない（低い）場合は、記憶装置に記憶しない。
【００９２】
本実施の形態の色温度制御システム１１００によれば、点灯出力制御回路１３０は、最高になったときの当日の外気温度を基準温度１７１として特定することができる。点灯出力制御回路１３０が上述した動作をしても、実施の形態１と同様の作用効果が得られる。
【００９３】
なお、本実施の形態では、時計１４０を点灯出力制御回路１３０に備える場合について説明したが、点灯用電源装置１００の外部からパーソナルコンピューターを通したり、標準電波を受信したりすることによって、点灯用電源装置１００の外部から時刻情報を取得してもよい。
【００９４】
実施の形態３．
実施の形態１〜２では、屋外の状況を判断する要素として、外気温度検知素子３００により測定された外気温を用いていた。本実施の形態では、屋外の状況を判断する要素として、さらに、屋外の湿度、日照量を用いる方式について説明する。
【００９５】
本実施の形態における色温度制御システム１１００の構成は、実施の形態１の図１に示す構成と同様である。本実施の形態における色温度制御システム１１００は、特定時間帯５１０（例えば、１０時から１５時）の間の色温度を固定とせず可変とする。また、本実施の形態における色温度制御システム１１００は、外気温度、屋外の湿度、日照量をモニターすることにより、屋外の気候、天候をよりきめ細かく把握する。
【００９６】
図１１は、実施の形態３に係る色温度制御システム１１００（照明装置１０００）の機能ブロックを示す機能ブロック図である。本実施の形態において、実施の形態１及び２と同様の構成については、同一の符号を付し、その説明を省略する。
【００９７】
色温度制御システム１１００は、図１の構成に加えて、太陽光を受光する太陽光パネル４００（日照量検知素子ともいう）と、屋外の湿度を検知する外気湿度センサー５００とを備える。
【００９８】
色温度制御情報記憶部１６０により記憶装置に記憶された色温度制御情報１８０は、色温度制御関数（外気温）１８５、色温度制御関数（湿度）１８６、色温度制御関数（日照量）１８７を備える。色温度制御関数（外気温）１８５、色温度制御関数（湿度）１８６、色温度制御関数（日照量）１８７の構成については後述する。
【００９９】
点灯出力制御回路１３０は、外気温度検知素子３００と太陽光パネル４００と外気湿度センサー５００とが検知した情報（外気温、日照量、外気湿度）と、時計１４０が計時する時刻とをモニターする。点灯出力制御回路１３０は、モニターした情報（外気温、日照量、外気湿度）に基づいて、ＬＥＤモジュール２００の備える色温度の低いＬＥＤａ２１０と色温度の高いＬＥＤｂ２２０の点灯出力をそれぞれ制御する。
【０１００】
色温度制御システム１１００は、まず、例えば外気温２５℃、湿度６０％、春の晴天時の１２時の日照量を基準とする。そして、色温度制御システム１１００は、基準の場合の色温度を例えば４５００Ｋ（色温度基準値１７２）とする。色温度制御システム１１００は、モニターした外気温度及び屋外の湿度及び日照量データと、色温度制御情報１８０（色温度制御関数（外気温）１８５、色温度制御関数（湿度）１８６、色温度制御関数（日照量）１８７）とを用いて、色温度基準値１７２（４５００Ｋ）に対する補正値を算出し、算出した補正値により色温度基準値１７２（４５００Ｋ）を補正して、ＬＥＤモジュール２００の色温度を決定する。
【０１０１】
図１２は、実施の形態３における色温度制御関数を示すグラフであり、（ａ）色温度制御関数（外気温）１８５を示すグラフ、（ｂ）色温度制御関数（湿度）１８６を示すグラフ、（ｃ）色温度制御関数（日照量）１８７を示すグラフである。図１３は、図１２の色温度制御関数を具体的に数値により表にしたものである。
【０１０２】
図１２（ａ）に示すように、色温度制御関数（外気温）１８５は、外気温に対して色温度補正値（外気温）１９５を対応付けた関数である。色温度制御関数（外気温）１８５は、外気温２５℃を基準としているので、２５℃近傍の外気温に対しては色温度補正値（外気温）１９５「０」を対応付けている。
【０１０３】
外気温に連動する色温度補正値（外気温）１９５の算出方法として、実施の形態１あるいは実施の形態２で説明した方式を適応してもよい。この場合はよりきめ細やかな色温度補正値（外気温）１９５を得ることができる。
【０１０４】
図１２（ｂ）に示すように、色温度制御関数（湿度）１８６は、湿度に対して色温度補正値（湿度）１９６を対応付けた関数である。色温度制御関数（湿度）１８６は、屋外の湿度６０％を基準としているので、屋外の湿度６０％近傍に対しては色温度補正値（湿度）１９６を「０」と対応付けている。
【０１０５】
図１２（ｃ）に示すように、色温度制御関数（日照量）１８７は、日照量に対して色温度補正値（日照量）１９７を対応付けた関数である。色温度制御関数（日照量）１８７は、春の晴天時の１２時の日照量を基準としているので、春の晴天時の１２時の日照量近傍に対しては色温度補正値（日照量）１９７を「０」と対応付けている。
【０１０６】
色温度制御システム１１００の点灯出力制御回路１３０は、計測した外気温、湿度、日照量を、それぞれ色温度制御関数（外気温）１８５、色温度制御関数（湿度）１８６、色温度制御関数（日照量）１８７に代入して、色温度補正値（外気温）１９５、色温度補正値（湿度）１９６、色温度補正値（日照量）１９７を算出する。色温度制御システム１１００の点灯出力制御回路１３０は、算出した色温度補正値（外気温）１９５、色温度補正値（湿度）１９６、色温度補正値（日照量）１９７を色温度基準値１７２に加算して、ＬＥＤモジュール２００の色温度を決定する。
【０１０７】
図１４は、実施の形態３における点灯出力制御回路１３０の動作を示すフローチャートである。本実施の形態では、点灯出力制御回路１３０は、点灯開始時に、例えば、色温度基準値１７２の色温度である４５００Ｋで点灯を開始する。
【０１０８】
Ｓ３１０において、点灯出力制御回路１３０は、外気温度検知素子３００により外気温度を取得する。点灯出力制御回路１３０は、取得した外気温を色温度制御関数（外気温）１８５に代入し、取得した外気温に対応する色温度補正値（外気温）１９５を算出（導出）する（Ｓ３１１）。点灯出力制御回路１３０は、算出した色温度補正値（外気温）１９５を、「制御色温度１」とする。
【０１０９】
Ｓ３１２において、点灯出力制御回路１３０は、色温度基準値１７２（４５００Ｋ）に「制御色温度１」を加算し、色温度（外気温を元に補正された色温度）を導出する。点灯出力制御回路１３０は、導出した色温度（外気温を元に補正された色温度）を「制御結果１」として記憶装置に記憶する。
【０１１０】
Ｓ３１３において、点灯出力制御回路１３０は、外気湿度センサー５００により屋外の湿度を取得する。点灯出力制御回路１３０は、取得した屋外の湿度を色温度制御関数（湿度）１８６に代入し、取得した屋外の湿度に対応する色温度補正値（湿度）１９６を導出する（Ｓ３１４）。点灯出力制御回路１３０は、導出した色温度補正値（湿度）１９６を、「制御色温度２」として記憶装置に記憶する。
【０１１１】
Ｓ３１５において、点灯出力制御回路１３０は、Ｓ３１２にて記憶した「制御結果１」に、Ｓ３１４にて導出した「制御色温度２」を加算し、色温度（外気温及び屋外の湿度を元に補正した色温度）を導出する。点灯出力制御回路１３０は、導出した色温度（外気温及び屋外の湿度を元に補正された色温度）を「制御結果２」として記憶装置に記憶する。
【０１１２】
Ｓ３１６において、点灯出力制御回路１３０は、太陽光パネル４００により日照量を取得する。点灯出力制御回路１３０は、取得した日照量を色温度制御関数（日照量）１８７に代入し、取得した日照量に対応する色温度補正値（日照量）１９７を導出する（Ｓ３１７）。点灯出力制御回路１３０は、導出した色温度補正値（日照量）１９７を、「制御色温度３」として記憶装置に記憶する。
【０１１３】
Ｓ３１８において、点灯出力制御回路１３０は、Ｓ３１５にて記憶した「制御結果２」に、Ｓ３１６にて導出した「制御色温度３」を加算し、色温度（外気温及び屋外の湿度及び日照量を元に補正した色温度）を導出する。点灯出力制御回路１３０は、導出した色温度（外気温及び屋外の湿度及び日照量を元に補正された色温度）を「制御結果３」として記憶装置に記憶する。
【０１１４】
Ｓ３１９において、点灯出力制御回路１３０は、「制御結果３」をＬＥＤモジュール２００の補正後色温度とする。点灯出力制御回路１３０は、照明装置１０００（ＬＥＤモジュール２００）の補正後色温度が「制御結果３」となるように、直流電源ａ１１０及び直流電源ｂ１２０を制御する。
【０１１５】
なお、本実施の形態では、点灯出力制御回路１３０は、外気温度、湿度、日照量の順に計測して色温度補正を実行しているが、計測の順番、補正の順番は、他の順番でもよい。
【０１１６】
図１５〜図１７は、実施の形態３に係る点灯出力制御回路の動作の結果得られた一日の色温度変化と外気温・湿度・日照量の変化との例を示す図である。図１８は、図１５のグラフを具体的な数値で示した表である。
【０１１７】
図１５（ａ−１）（ａ−２）は、ある夏の日（晴）の一日の色温度変化と外気温・湿度・日照量の変化を示している。図１５（ｂ−１）（ｂ−２）は、ある夏の日（終日雨）の一日の色温度変化と外気温・湿度・日照量の変化を示している。図１５に示すように、同じ季節（夏）の日であっても、外気温・湿度・日照量により色温度をきめ細かく補正しているので、天候の違いを考慮した色温度に制御することができる。
【０１１８】
図１６（ｃ−１）（ｃ−２）は、ある春の日（晴れ、かつ真夏日）の一日の色温度変化と外気温・湿度・日照量の変化を示している。図１６（ｄ−１）（ｄ−２）は、ある春の日（終日雨）の一日の色温度変化と外気温・湿度・日照量の変化を示している。図１６に示すように、同じ季節（春）の日であっても、外気温・湿度・日照量により色温度をきめ細かく補正しているので、天候の違いを考慮した色温度に制御することができる。
【０１１９】
図１７（ｅ−１）（ｅ−２）は、ある冬の日（晴）の一日の色温度変化と外気温・湿度・日照量の変化を示している。図１７に示すように、外気温・湿度・日照量により色温度をきめ細かく補正しているので、天候の違いを考慮した色温度に制御することができる。
【０１２０】
なお、本実施の形態においても、色温度制御システム１１００は、実施の形態１のように特定時間帯（例えば、１０時〜１５時）は季節等を問わず照明装置１０００（ＬＥＤモジュール２００）を一定の色温度（例えば、色温度基準値１７２（４５００Ｋ））に制御するとしてもよい。
【０１２１】
また、屋外の環境状況（天候、気候等）を把握する手段の一つのとして、大気圧計を用い、大気圧計で気圧を計測し、計測した気圧を制御要素の一つとして色温度の制御を実行するとしてもよい。
【０１２２】
本実施の形態に係る色温度制御システム１１００は、色温度の違う光源を２種類以上組み込んだ照明装置１０００を備える。照明装置１０００は、それぞれの光源の出力を独立に制御でき、それにより色温度を可変に制御できる点灯用電源装置１００を備える。照明装置１０００は、さらに、外気温度検知素子３００、外気湿度センサー５００、太陽光パネル４００などの日照量検知センサー、大気圧計、時計１４０などを備える。照明装置１０００の点灯出力制御回路１３０は、外気温度検知素子３００、外気湿度センサー５００、太陽光パネル４００などの日照量検知センサー、大気圧計、時計１４０により取得された情報に基づいて、２種類以上の光源の出力を個々に制御することによって、照明装置１０００の発光する色温度を制御する。
【０１２３】
本実施の形態に係る色温度制御システム１１００は、特定の外気温度かつ特定の湿度かつ特定の気圧かつ特定の日照量のときの色温度を所定の色温度（例えば、色温度基準値１７２）とし、特定の外気温度、特定の湿度、特定の気圧、特定の日照量からの変動分を元に、所定の色温度（例えば、色温度基準値１７２）を補正し可変に変動させることを特徴とする。
【０１２４】
本実施の形態に係る色温度制御システム１１００によれば、屋外が暑いときは、湿度などの不快感や、屋外の日照量をもとに、適した涼しさを演出する色温度に照明装置１０００を制御することができる。また、屋外が寒いときは、湿度などの不快感や、屋外の日照量をもとに、適した暖かさを演出する色温度に照明装置１０００を制御することができる。したがって、本実施の形態に係る色温度制御システム１１００によれば、人に不快感を与えずに空調設備による過剰な温度制御を抑えることができ、省エネ効果を発揮できる。
【０１２５】
本実施の形態において、色温度補正値（外気温）１９５を求める方式として、実施の形態１〜２にて説明した点灯出力制御回路１３０の色温度制御方法を用いてもよい。実施の形態１〜２に係る点灯出力制御回路１３０の色温度制御方法では、色温度制御情報１８０の中から基準温度１７１に対応する色温度制御関数（１８１，１８２，１８３，１８４）を選択して、色温度補正値の算出に利用するので、よりきめ細やかな色温度補正値を得ることができる。
【０１２６】
また、色温度補正値（湿度）１９６を求める方式としても、実施の形態１〜２にて説明した点灯出力制御回路１３０の色温度制御方法を適用してもよい。例えば、点灯出力制御回路１３０は、基準温度１７１に対応する基準湿度を記憶装置に記憶し、基準湿度の属する湿度範囲に応じた複数の色温度制御関数（湿度）を記憶装置に記憶する。色温度制御関数（湿度）は、基準湿度との湿度差と、色温度補正値とを対応付けた関数である。これにより、実施の形態１〜２にて説明した点灯出力制御回路１３０の色温度制御方法における「温度」を「湿度」に置き換えて、同様の方式で色温度補正値（湿度）１９６を求めることができる。
【０１２７】
また、色温度補正値（日照量）１９７を求める方式としても、実施の形態１〜２にて説明した点灯出力制御回路１３０の色温度制御方法を適用してもよい。例えば、点灯出力制御回路１３０は、基準温度１７１に対応する基準日照量を記憶装置に記憶し、基準日照量の属する日照量範囲に応じた複数の色温度制御関数（日照量）を記憶装置に記憶する。色温度制御関数（日照量）は、基準日照量との日照量差と、色温度補正値とを対応付けた関数である。これにより、実施の形態１〜２にて説明した点灯出力制御回路１３０の色温度制御方法における「温度」を「日照量」に置き換えて、同様の方式で色温度補正値（日照量）１９７を求めることができる。
【０１２８】
以上のように、実施の形態１〜３の色温度制御システム１１００によれば、外気温・湿度・日照量・気圧等の屋外環境（天候）を含めて人の不快感を把握し、それに応じた色温度を演出することにより、人の不快感を避け、寒いときは暖かい照明を演出し、暑いときは涼しい照明を演出することにより、空調設備による過剰な温度制御を抑え、省エネ効果を生むことができる。
【０１２９】
以上、実施の形態１〜３について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【０１３０】
１００  点灯用電源装置、１１０，１２０  直流電源、１３０  点灯出力制御回路、１３１  調光指令ａ、１３２  調光指令ｂ、１４０  時計、１５０  記憶部、１６０  色温度制御情報記憶部、１６１  基準温度記憶部、１６２  色温度基準値記憶部、１７１  基準温度、１７２  色温度基準値、１８０  色温度制御情報、１８１  色温度制御関数（１）、１８２  色温度制御関数（２）、１８３  色温度制御関数（３）、１８４  色温度制御関数（４）、１８５  色温度制御関数（外気温）、１８６  色温度制御関数（湿度）、１８７  色温度制御関数（日照量）、１９０  温度差、１９１  色温度補正値、１９５  色温度補正値（外気温）、１９６  色温度補正値（湿度）、１９７  色温度補正値（日照量）、２００  ＬＥＤモジュール、２１０  ＬＥＤａ、２２０  ＬＥＤｂ、３００  外気温度検知素子、４００  太陽光パネル、５００  湿度センサー、５１０  特定時間帯、５３０  現在時刻、５４０  現在の外気温、１０００  照明装置、１１００  色温度制御システム。
【図１】
0005641824.tif 000002
【図２】
0005641824.tif 000003
【図３】
0005641824.tif 000004
【図４】
0005641824.tif 000005
【図５】
0005641824.tif 000006
【図６】
0005641824.tif 000007
【図７】
0005641824.tif 000008
【図８】
0005641824.tif 000009
【図９】
0005641824.tif 000010
【図１０】
0005641824.tif 000011
【図１１】
0005641824.tif 000012
【図１２】
0005641824.tif 000013
【図１３】
0005641824.tif 000014
【図１４】
0005641824.tif 000015
【図１５】
0005641824.tif 000016
【図１６】
0005641824.tif 000017
【図１７】
0005641824.tif 000018
【図１８】
0005641824.tif 000019